(57)【要約】【課題】他のユーザに対して与える干渉の影響を抑制し、呼確立時の通信の切断を防止すること。【解決手段】目標ＳＩＲ設定部１６０は、送信電力制御開始時などは、サービスごとの初期目標ＳＩＲを目標ＳＩＲとして設定する。初期目標ＳＩＲ記憶部１７０は、サービスごとの初期目標ＳＩＲを記憶しており、送信電力制御開始時などに、伝送されるサービスに対応する初期目標ＳＩＲを目標ＳＩＲ設定部１６０へ出力する。サービス検出部２００は、送信電力制御開始時などに、無線通信装置がやりとりするサービスを検出し、初期目標ＳＩＲ記憶部１７０へ通知する。具体的には、サービス情報取得部２０２は、上位レイヤにおいて保持されているサービスの情報を取得し、このサービスを初期目標ＳＩＲ記憶部１７０へ通知する。【選択図】　　　図１
2004088635.tif 000002
【特許請求の範囲】
【請求項１】
所望の受信信号品質を得るために、送信電力制御のための目標受信品質を更新する無線通信システムにおいて用いられる無線通信装置であって、
伝送されるデータの種別を検出する検出手段と、
検出されたデータ種別に応じて目標受信品質の初期値を設定する設定手段と、
を有することを特徴とする無線通信装置。
【請求項２】
前記検出手段は、
自装置の上位レイヤへ通知されるデータ種別情報を取得することによりデータ種別を検出することを特徴とする請求項１記載の無線通信装置。
【請求項３】
前記検出手段は、
伝送されるデータ種別ごとに異なる目標受信信号品質を検出する目標受信信号品質検出部、を有し、
検出された目標受信信号品質に応じたデータ種別を検出することを特徴とする請求項１記載の無線通信装置。
【請求項４】
前記検出手段は、
伝送されるデータ種別ごとに異なる受信信号の符号化に関する情報を検出する符号化検出部、を有し、
検出された符号化情報に応じたデータ種別を検出することを特徴とする請求項１記載の無線通信装置。
【請求項５】
前記検出手段は、
伝送されるデータ種別ごとに異なる受信信号のスロットフォーマットを検出するスロットフォーマット検出部、を有し、
検出されたスロットフォーマットに応じたデータ種別を検出することを特徴とする請求項１記載の無線通信装置。
【請求項６】
前記検出手段は、
伝送されるデータ種別ごとに異なる受信信号の符号化に関する情報を検出する符号化検出部と、
前記受信信号のスロットフォーマットを検出するスロットフォーマット検出部と、を有し、
検出された符号化情報およびスロットフォーマットに応じたデータ種別を検出することを特徴とする請求項１記載の無線通信装置。
【請求項７】
前記設定手段は、
データ種別ごとに目標受信品質の初期値を記憶する初期目標受信品質記憶部と、
前記初期目標受信品質のうち、伝送されるデータ種別に対応する初期目標受信品質を目標受信品質の初期値として設定し、受信信号品質に応じて当該目標受信品質を更新する目標受信品質設定部と、
を有することを特徴とする請求項１記載の無線通信装置。
【請求項８】
前記目標受信品質設定部は、
伝送されるデータ種別に応じた更新幅で目標受信品質を更新することを特徴とする請求項７記載の無線通信装置。
【請求項９】
前記設定手段は、
検出されたデータ種別がバーストデータであった場合に、目標受信品質の初期値を高めに設定することを特徴とする請求項１記載の無線通信装置。
【請求項１０】
前記設定手段は、
検出されたデータ種別が連続データであった場合に、目標受信品質の初期値を低めに設定することを特徴とする請求項１記載の無線通信装置。
【請求項１１】
請求項１から請求項１０のいずれかに記載の無線通信装置を有することを特徴とする通信端末装置。
【請求項１２】
請求項１から請求項１０のいずれかに記載の無線通信装置を有することを特徴とする基地局装置。
【請求項１３】
所望の受信信号品質を得るために、送信電力制御のための目標受信品質を更新する無線通信システムにおいて用いられる送信電力制御方法であって、
伝送されるデータの種別を検出するステップと、
検出したデータ種別に応じて目標受信品質の初期値を設定するステップと、
を有することを特徴とする送信電力制御方法。
【発明の詳細な説明】
【０００１】
【発明の属する技術分野】
本発明は、無線通信装置および送信電力制御方法に関する。
【０００２】
【従来の技術】
無線通信システムにおいては、割り当てられた周波数帯を利用して多数の局が相互に通信を行うマルチプルアクセス（多元接続）方式の１つとして、スペクトル拡散通信を用いたＣＤＭＡ（符号分割多元接続）方式がある。ＣＤＭＡ方式とは、情報変調されたデータに拡散符号を乗算し、広帯域に拡散して送信を行い、受信側においては、送信側と同じ拡散符号を送信側と同じタイミングで受信信号に乗算（逆拡散）することにより通信を行う方式である。このようにしてデータを広帯域に拡散することにより、受信側は、到来してくる遅延時間の異なる受信信号を分離し、合成（ＲＡＫＥ合成）することができ、高品質かつ大容量な伝送を行うことが可能となる。
【０００３】
ＣＤＭＡ方式では、同一周波数を用いて同一時間に複数のユーザが通信を行うため、通信相手となるユーザが遠方に位置し、通信相手以外の干渉局となるユーザが近くに位置する場合に、各ユーザが同一パワで送信を行うと、受信側においては、干渉局からの信号レベルの方が大きくなり、処理利得だけでは拡散符号間の相互相関を抑圧できないため通信不能となる。これを防ぐために、ＣＤＭＡ方式を用いた無線通信システムでは、送信電力制御（ＴＰＣ：Ｔｒａｎｓｍｉｓｓｉｏｎ　Ｐｏｗｅｒ
Ｃｏｎｔｒｏｌ）が行われることがある。
【０００４】
送信電力制御の代表的なものとして、受信ＳＩＲ（Ｓｉｇｎａｌ　ｔｏ　Ｉｎｔｅｒｆｅｒｅｎｃｅ　Ｒａｔｉｏ：信号対干渉波比）に基づくクローズドループ型の送信電力制御がある。クローズドループ型の送信電力制御では、受信側は、例えば受信ＳＩＲなどの受信品質を測定し、測定された受信ＳＩＲが目標とする目標ＳＩＲに比べて大きければ送信で力を下げさせるコマンドを、小さければ送信電力を上げさせるのコマンドを送信電力制御コマンドとして送信側へ送信する。送信側は、送信電力制御コマンドに従って送信電力を変更して信号を送信する。こうして、受信側における受信ＳＩＲが常に目標ＳＩＲに保たれるように送信電力が制御される。
【０００５】
実際の伝搬路においては、マルチパス数やフェージング変動の速度などの時間変動に伴い、ＲＡＫＥ合成のパスダイバーシチ効果、誤り訂正符号化のインタリーブ効果、送信電力制御コマンドの誤り、およびＳＩＲ測定誤差などが異なるため、例えば誤り検出の単位であるデータブロックごとの誤り率（ＢＬＥＲ：ＢＬｏｃｋ　Ｅｒｒｏｒ　Ｒａｔｅ）などの信号品質を一定の値に保とうとしても、目標ＳＩＲは一定値にはならない。したがって、環境に応じて目標ＳＩＲを補正する必要が生じる。この補正を行う制御が、例えば「ＤＳ−ＣＤＭＡ送信電力制御におけるパイロットシンボルを用いた受信ＳＩＲ測定法」（電子情報通信学会技術報告、ＲＣＳ９６−７４、１９９６−０８）などに記載されているアウタループ送信電力制御である。
【０００６】
アウタループ送信電力制御においては、受信側は、データに付加されている誤り検出符号を用いることにより誤り検出を行い、その結果からＢＬＥＲを推定する。そして、推定されたＢＬＥＲと所望のＢＬＥＲとを比較し、推定されたＢＬＥＲの方が高かった場合（所望の信号品質を満たしていない場合）は目標ＳＩＲを上げ、推定されたＢＬＥＲの方が低かった場合（過剰品質である場合）は目標ＳＩＲを下げる。このように、送信側と通信を行っていく過程で目標ＳＩＲが更新されていく。
【０００７】
【発明が解決しようとする課題】
しかしながら、上述のアウタループ送信電力制御においては、伝送されるデータがいかなるものであっても、目標ＳＩＲの初期値は同じ値である。すなわち、音声データ、回線交換型データ、またはパケット交換型データなど、サービスが異なる場合でも、目標ＳＩＲは同一の初期値を起点として、所望のＢＬＥＲを満たすことができる目標ＳＩＲへと収束するようになっている。したがって、所望のＢＬＥＲを満たすための目標ＳＩＲ値、目標品質、データの発生頻度がサービスによって異なるため、サービスによっては、目標ＳＩＲの収束時間が長くなったり、過剰品質となる送信電力で信号が送信され、他のユーザに対する干渉の影響が大きくなったり、データの発生確率が低いサービスでは所望の品質になる前に呼切断が発生するという問題がある。
【０００８】
以下、この問題の具体例について説明する。
【０００９】
図５は、２つの異なるサービスについて、目標ＳＩＲに対する平均ＢＬＥＲ特性の一例を示している。同図において、例えば平均ＢＬＥＲの値をＥにするためには、曲線１０によって示されるサービスについては目標ＳＩＲの値をＳ１に収束させ、曲線２０によって示されるサービスについては目標ＳＩＲの値をＳ２に収束させる必要がある。すなわち、所望の信号品質が同じ場合でも、その信号品質を達成するための目標ＳＩＲはサービスによって異なっている。それにもかかわらず、目標ＳＩＲの初期値はサービスごとに変更されることがないため、目標ＳＩＲの収束すべき値が初期値よりも大きく離れている場合には、収束時間が長くなる。
【００１０】
つまり、例えば図６（ａ）と図６（ｂ）に示すように、目標ＳＩＲが収束すべき値（各図中点線で示す）が異なっているにもかかわらず、目標ＳＩＲの初期値はＩで共通であるため、図６（ａ）に示すサービスは、図６（ｂ）に示すサービスに比べ、目標ＳＩＲの収束時間ＴＡ’が長くなり、その間余分なパワが送信され、他のユーザに対する干渉が生じたり、通信が行えるまでの時間が長くなるという問題がある。
【００１１】
また、図６（ｄ）は、データがバースト的に発生するサービスの目標ＳＩＲの収束特性を示す。同図に示すサービスにおいては、データがバースト的に発生するため、ＢＬＥＲの推定に時間がかかり、目標ＳＩＲの初期値が低いと、呼確立するまでの時間が長くなり（目標ＳＩＲの収束時間が長くなり）、データの再送制御の最大回数までに通信が行えず、呼確立時において呼切断が発生することがある。
【００１２】
本発明は、かかる点に鑑みてなされたものであり、他のユーザに対して与える干渉の影響を抑制し、呼確立時の通信の切断を防止することができる無線通信装置および送信電力制御方法を提供することを目的とする。
【００１３】
【課題を解決するための手段】
本発明の無線通信装置は、所望の受信信号品質を得るために、送信電力制御のための目標受信品質を更新する無線通信システムにおいて用いられる無線通信装置であって、伝送されるデータの種別を検出する検出手段と、検出されたデータ種別に応じて目標受信品質の初期値を設定する設定手段と、を有する構成を採る。
【００１４】
この構成によれば、伝送されるデータの種別を検出し、データ種別に応じて目標受信品質の初期値を設定した上で、この目標受信品質を更新するため、伝送されるデータの種別（すなわち、サービス）ごとに目標受信品質の初期値が異なり、目標受信品質が、所望の信号品質を得るための目標受信品質に収束するまでの時間を短縮することができ、他のユーザに対して与える干渉の影響を抑制し、呼確立時の通信の切断を防止することができる。
【００１５】
本発明の無線通信装置は、前記検出手段は、自装置の上位レイヤへ通知されるデータ種別情報を取得することによりデータ種別を検出する構成を採る。
【００１６】
この構成によれば、自装置の上位レイヤへ通知されるデータ種別情報を取得することによりデータ種別を検出するため、伝送されるサービスを確実に検出することができる。
【００１７】
本発明の無線通信装置は、前記検出手段は、伝送されるデータ種別ごとに異なる目標受信信号品質を検出する目標受信信号品質検出部、を有し、検出された目標受信信号品質に応じたデータ種別を検出する構成を採る。
【００１８】
本発明の無線通信装置は、前記検出手段は、伝送されるデータ種別ごとに異なる受信信号の符号化に関する情報を検出する符号化検出部、を有し、検出された符号化情報に応じたデータ種別を検出する構成を採る。
【００１９】
本発明の無線通信装置は、前記検出手段は、伝送されるデータ種別ごとに異なる受信信号のスロットフォーマットを検出するスロットフォーマット検出部、を有し、検出されたスロットフォーマットに応じたデータ種別を検出する構成を採る。
【００２０】
本発明の無線通信装置は、前記検出手段は、伝送されるデータ種別ごとに異なる受信信号の符号化に関する情報を検出する符号化検出部と、前記受信信号のスロットフォーマットを検出するスロットフォーマット検出部と、を有し、検出された符号化情報およびスロットフォーマットに応じたデータ種別を検出する構成を採る。
【００２１】
これらの構成によれば、上位レイヤから下位レイヤへの情報の伝達を行う必要がなく、簡易な装置構成でサービスの検出を実現することができる。
【００２２】
本発明の無線通信装置は、前記設定手段は、データ種別ごとに目標受信品質の初期値を記憶する初期目標受信品質記憶部と、前記初期目標受信品質のうち、伝送されるデータ種別に対応する初期目標受信品質を目標受信品質の初期値として設定し、受信信号品質に応じて当該目標受信品質を更新する目標受信品質設定部と、を有する構成を採る。
【００２３】
この構成によれば、データ種別ごとに記憶された初期目標受信品質を目標受信品質の初期値として設定し、受信信号品質に応じて当該目標受信品質を更新するため、所望の受信信号品質が得られるように、目標受信品質への収束時間を短くすることができる。
【００２４】
本発明の無線通信装置は、前記目標受信品質設定部は、伝送されるデータ種別に応じた更新幅で目標受信品質を更新する構成を採る。
【００２５】
この構成によれば、伝送されるデータ種別に応じた更新幅で目標受信品質を更新するため、目標受信品質の収束すべき値が環境に応じてあまり変化しない場合は、更新幅を小さくしてきめ細かな制御を行うことができるとともに、収束すべき値が環境に応じて大きく変化する場合は、更新幅を大きくして収束時間を短縮することができる。
【００２６】
本発明の無線通信装置は、前記設定手段は、検出されたデータ種別がバーストデータであった場合に、目標受信品質の初期値を高めに設定する構成を採る。
【００２７】
この構成によれば、検出されたデータ種別がバーストデータであった場合に、目標受信品質の初期値を高めに設定することにより、目標受信品質への収束時間が長い場合においても、データの伝送成功確率を高くし、データの再送制御の最大回数に達する前に呼確立が成功する確率が高くなり呼確立時における呼切断を防止することができる。
【００２８】
本発明の無線通信装置は、前記設定手段は、検出されたデータ種別が連続データであった場合に、目標受信品質の初期値を低めに設定する構成を採る。
【００２９】
この構成によれば、検出されたデータ種別が連続データであった場合に、目標受信品質の初期値を低めに設定することにより、通信開始時においてデータの送信側が必要以上に高い送信電力でデータを送信することを防止でき、他局への干渉の影響を抑制することができる。
【００３０】
本発明の通信端末装置は、上記のいずれかに記載の無線通信装置を有する構成を採る。
【００３１】
この構成によれば、上記のいずれかに記載の無線通信装置と同様の作用効果を通信端末装置において実現することができる。
【００３２】
本発明の基地局装置は、上記のいずれかに記載の無線通信装置を有する構成を採る。
【００３３】
この構成によれば、上記のいずれかに記載の無線通信装置と同様の作用効果を基地局装置において実現することができる。
【００３４】
本発明の送信電力制御方法は、所望の受信信号品質を得るために、送信電力制御のための目標受信品質を更新する無線通信システムにおいて用いられる送信電力制御方法であって、伝送されるデータの種別を検出するステップと、検出したデータ種別に応じて目標受信品質の初期値を設定するステップと、を有するようにした。
【００３５】
この方法によれば、伝送されるデータの種別を検出し、データ種別に応じて目標受信品質の初期値を設定した上で、この目標受信品質を更新するため、伝送されるデータの種別（すなわち、サービス）ごとに目標受信品質の初期値が異なり、目標受信品質が、所望の信号品質を得るための目標受信品質に収束するまでの時間を短縮することができ、他のユーザに対して与える干渉の影響を抑制し、呼確立時の通信の切断を防止することができる。
【００３６】
【発明の実施の形態】
本発明の骨子は、無線通信システムにおいて伝送されるサービスの種類を検出し、検出されたサービスの種類に応じて送信電力制御のための目標受信品質の初期値を設定することである。
【００３７】
以下、本発明の実施の形態について、図面を参照しながら詳細に説明する。
【００３８】
（実施の形態１）
図１は、本発明の実施の形態１に係る無線通信装置の要部構成を示すブロック図である。同図に示す無線通信装置は、アウタループ送信電力制御を行う無線通信システムにおいて用いられるため、所望の信号品質を達成するための目標受信品質を常に更新する。
【００３９】
図１に示す無線通信装置は、ＲＦ（Ｒａｄｉｏ　Ｆｒｅｑｕｅｎｃｙ）部１００、復調部１１０、誤り検出部１２０、ＢＬＥＲ（ＢＬｏｃｋ　Ｅｒｒｏｒ　Ｒａｔｅ）推定部１３０、ＳＩＲ（Ｓｉｇｎａｌ　ｔｏ　Ｉｎｔｅｒｆｅｒｅｎｃｅ　Ｒａｔｉｏ）測定部１４０、ＳＩＲ比較部１５０、目標ＳＩＲ設定部１６０、初期目標ＳＩＲ記憶部１７０、ＴＰＣ（Ｔｒａｎｓｍｉｓｓｉｏｎ　Ｐｏｗｅｒ　Ｃｏｎｔｒｏｌ）コマンド生成部１８０、送信データ生成部１９０、およびサービス検出部２００を有しており、サービス検出部２００は、サービス情報取得部２０２を含んでいる。
【００４０】
ＲＦ部１００は、アンテナを介して送受信されるデータに対して所定の無線処理（ダウンコンバート、アップコンバート、Ａ／Ｄ変換、およびＤ／Ａ変換など）を行う。復調部１１０は、受信データを復調する。誤り検出部１２０は、受信データのブロックごとに付加されている、例えばＣＲＣ（Ｃｙｃｌｉｃ　Ｒｅｄｕｎｄａｎｃｙ　Ｃｈｅｃｋ）などの誤り検出符号を用いて、受信データの誤り検出を行う。ＢＬＥＲ推定部１３０は、誤り検出の結果を用いて、ブロックごとの誤り率（ＢＬＥＲ）を推定し、ＢＬＥＲを目標ＳＩＲ設定部１６０へ通知する。ここで、誤り検出の単位であるブロックごとに推定されたＢＬＥＲは、信号品質を示す指標となる。
【００４１】
ＳＩＲ測定部１４０は、受信データの受信品質として受信ＳＩＲを測定する。ＳＩＲ比較部１５０は、受信ＳＩＲと目標ＳＩＲとを比較し、比較結果をＴＰＣコマンド生成部１８０へ通知する。目標ＳＩＲ設定部１６０は、送信電力制御のための目標ＳＩＲを保持しており、ＢＬＥＲ推定部１３０から通知されたＢＬＥＲと所望のＢＬＥＲとを比較し、ＢＬＥＲ推定部１３０によって推定されたＢＬＥＲの方が高かった場合（所望の信号品質を満たしていない場合）は目標ＳＩＲを上げ、推定されたＢＬＥＲの方が低かった場合（過剰品質である場合）は目標ＳＩＲを下げる。また、目標ＳＩＲ設定部１６０は、送信電力制御開始時などは、初期目標ＳＩＲ記憶部１７０によって記憶されているサービスごとの初期目標ＳＩＲを目標ＳＩＲとして設定する。初期目標ＳＩＲ記憶部１７０は、サービス検出部２００によって検出されるサービスごとの初期目標ＳＩＲを記憶しており、送信電力制御開始時などに、伝送されるサービスに対応する初期目標ＳＩＲを目標ＳＩＲ設定部１６０へ出力する。
【００４２】
ＴＰＣコマンド生成部１８０は、ＳＩＲ比較部１５０による比較の結果、受信ＳＩＲが目標ＳＩＲより高ければ、送信電力を下げる旨のＴＰＣコマンドを、受信ＳＩＲが目標ＳＩＲより低ければ、送信電力を上げる旨のＴＰＣコマンドをそれぞれ生成する。送信データ生成部１９０は、ＴＰＣコマンドを含む送信データを生成し、ＲＦ部１００からアンテナを介して送信する。
【００４３】
サービス検出部２００は、送信電力制御開始時などに、本実施の形態の無線通信装置がやりとりするサービスを検出し、初期目標ＳＩＲ記憶部１７０へ通知する。具体的には、サービス情報取得部２０２は、上位レイヤにおいて保持されているサービスの情報を取得し、このサービスを初期目標ＳＩＲ記憶部１７０へ通知する。ここで、上位レイヤには、例えば無線ネットワーク制御局装置などの上位装置から、やりとりされるサービスの情報が通知されているものとする。
【００４４】
次いで、上記のように構成された無線通信装置の動作について説明する。
【００４５】
まず、上位レイヤから通知された情報から、サービス情報取得部２０２によって、やりとりされるサービスの情報が取得される。取得されたサービスの情報は、初期目標ＳＩＲ記憶部１７０へ通知され、当該サービスに対応する初期目標ＳＩＲが目標ＳＩＲ設定部１６０へ出力されて目標ＳＩＲとして設定される。
【００４６】
一方、アンテナを介して受信された受信データは、ＲＦ部１００によって所定の無線処理が行われ、ＳＩＲ測定部１４０によって受信ＳＩＲが測定される。そして、ＳＩＲ比較部１５０によって、受信ＳＩＲと目標ＳＩＲ（初回は初期目標ＳＩＲ）とが比較される。
【００４７】
この比較の結果、受信ＳＩＲが目標ＳＩＲより大きければ、ＴＰＣコマンド生成部１８０によって、送信電力を下げる旨のＴＰＣコマンドが生成され、受信ＳＩＲが目標ＳＩＲより小さければ、ＴＰＣコマンド生成部１８０によって、送信電力を上げる旨のＴＰＣコマンドが生成される。そして、生成されたＴＰＣコマンドは、送信データ生成部１９０によって生成される送信データとともに、ＲＦ部１００によって所定の無線処理が行われた上でアンテナを介して送信される。
【００４８】
そして、データの送信側は、ＴＰＣコマンドを受信し、このＴＰＣコマンドに従って送信電力を制御し、データを送信する。送信されたデータは、再度、アンテナを介して受信され、ＲＦ部１００によって所定の無線処理が行われ、復調部１１０およびＳＩＲ測定部１４０へ出力される。
【００４９】
受信データは、復調部１１０によって復調され、誤り検出部１２０によって、例えばＣＲＣなどの誤り検出符号が用いられることにより、ブロックごとに誤り検出される。そして、ブロックごとの誤り検出結果に基づいて、ＢＬＥＲ推定部１３０によってＢＬＥＲが推定される。推定されたＢＬＥＲは、目標ＳＩＲ設定部１６０へ通知され、所望のＢＬＥＲと比較される。
【００５０】
この比較の結果、推定されたＢＬＥＲの方が高かった場合（所望の信号品質を満たしていない場合）は目標ＳＩＲが上げられ、推定されたＢＬＥＲの方が低かった場合（過剰品質である場合）は目標ＳＩＲが下げられる。このようにして変更された目標ＳＩＲは、ＳＩＲ比較部１５０へ出力される。
【００５１】
一方、ＳＩＲ測定部１４０へ出力された受信データは、受信ＳＩＲが測定され、測定された受信ＳＩＲは、ＳＩＲ比較部１５０へ出力される。そして、初回の処理と同様に、ＳＩＲ比較部１５０によって、受信ＳＩＲと目標ＳＩＲとが比較される。
【００５２】
この比較の結果、受信ＳＩＲが目標ＳＩＲより大きければ、ＴＰＣコマンド生成部１８０によって、送信電力を下げる旨のＴＰＣコマンドが生成され、受信ＳＩＲが目標ＳＩＲより小さければ、ＴＰＣコマンド生成部１８０によって、送信電力を上げる旨のＴＰＣコマンドが生成される。そして、生成されたＴＰＣコマンドは、送信データ生成部１９０によって生成される送信データとともに、ＲＦ部１００によって所定の無線処理が行われた上でアンテナを介して送信される。
【００５３】
以下、データが受信されるごとにＢＬＥＲが推定され、所望のＢＬＥＲが得られるように目標ＳＩＲが更新され、目標ＳＩＲに基づくＴＰＣコマンドが生成されて送信される処理が繰り返される。この処理が繰り返される過程で、目標ＳＩＲは収束し、所望のＢＬＥＲのデータが得られるようになる。本実施の形態においては、目標ＳＩＲの初期値を、上位レイヤから取得されたサービスの情報に基づいて決定しているため、目標ＳＩＲが収束するまでの時間を短縮することができる。
【００５４】
図２は、本実施の形態に係る無線通信装置においてサービスが異なる場合の目標ＳＩＲの収束特性の一例を示す図である。
【００５５】
同図を見れば明らかなように、サービスごとに目標ＳＩＲの初期値が異なっている。すなわち、図２（ａ）に示すように、目標ＳＩＲが収束すべき値（図中点線で示す。以下の図についても同様）が高い場合は、目標ＳＩＲの初期値ＩＡも比較的高く、図２（ｂ）に示すように、目標ＳＩＲが収束すべき値が低い場合は、目標ＳＩＲの初期値ＩＢも比較的低い。
【００５６】
また、図２（ｃ）においては、伝送されるサービスによって要求される信号品質（すなわち、ＢＬＥＲ）が図２（ａ）および図２（ｂ）よりも高いため、ＢＬＥＲ推定部１３０によってＢＬＥＲが推定される時間が短く、送信電力制御の制御幅が短いが、この場合も、目標ＳＩＲのサービスに応じた初期値ＩＣが初期目標ＳＩＲ記憶部１７０から読み出され、目標ＳＩＲ設定部１６０に設定される。
【００５７】
これらのデータが連続的に発生するサービス（図２（ａ）〜（ｃ））の場合は、目標ＳＩＲの初期値ＩＡ、ＩＢ、ＩＣが目標ＳＩＲが収束すべき値に対して低めに設定されているため、通信開始時からデータの送信側が必要以上に高い送信電力でデータを送信することなく、他局に対する干渉の影響を抑制することができる。
【００５８】
一方、図２（ｄ）は、データがバースト的に発生するサービスの目標ＳＩＲの収束特性を示しているが、この場合は、目標ＳＩＲの初期値ＩＤが目標ＳＩＲが収束すべき値に対して高めに設定されているため、目標受信品質への収束時間が長い場合においても、データの伝送成功確率を高くし、データの再送制御の最大回数に達する前に呼確立が成功する確率が高くすることができる。
【００５９】
また、図２（ｄ）においては、図２（ａ）、（ｂ）と比較して、目標ＳＩＲの変化幅を小さくしているが、これは、図２（ｄ）に示すサービスは、目標ＳＩＲの収束すべき値が環境に応じてあまり変化しないサービスであるため、目標ＳＩＲの更新幅を小さくし、きめ細かい制御を行うことを示している。反対に、目標ＳＩＲが収束すべき値が環境に応じて大きく変化するサービスの場合は、目標ＳＩＲの更新幅を大きくすることにより、目標ＳＩＲの収束時間を短縮することができる。
【００６０】
そして、上位レイヤから通知されたサービスの情報に応じて目標ＳＩＲの初期値を設定することにより、目標ＳＩＲの収束時間ＴＡ、ＴＢ、ＴＣ、ＴＤは、図６に示した従来の収束時間ＴＡ’、ＴＢ’、ＴＣ’、ＴＤ’よりも短縮される。
【００６１】
このように、本実施の形態によれば、上位レイヤにおいて保持されているサービスの情報を取得し、取得されたサービスの情報に応じて送信電力制御のための目標ＳＩＲの初期値を設定するため、アウタループ送信電力制御における目標ＳＩＲの収束時間を短縮することができ、所望の信号品質に対応する目標ＳＩＲ他のユーザに対して与える干渉の影響を抑制し、呼確立時の通信の切断を防止することができる。
【００６２】
（実施の形態２）
本発明の実施の形態２に係る特徴は、無線ネットワーク制御局装置などの上位装置から通知される、伝送されるサービスにおいて要求される信号品質の目標値（以下、「目標品質」という）によってサービスを検出する点である。実施の形態１においては、上位レイヤから下位レイヤへサービス情報を通知する必要があり（すなわち、レイヤ間で同レベルの情報を伝達する必要があり）、この伝達には困難を伴うことがあるが、本実施の形態においては、サービスの検出を容易に行うことができる。
【００６３】
図３は、本実施の形態に係る無線通信装置の要部構成を示すブロック図である。同図に示す無線通信装置において、図１に示す無線通信装置と同じ部分には同じ符号を付し、その説明を省略する。また、同図に示す無線通信装置は、実施の形態１と同様に、アウタループ送信電力制御を行う無線通信システムにおいて用いられるため、所望の信号品質を達成するための目標受信品質を常に更新する。
【００６４】
なお、本実施の形態においては、上位装置である無線ネットワーク制御局装置から、伝送されるサービスに応じた目標品質が通知されるものとする。
【００６５】
図３に示す無線通信装置は、ＲＦ部１００、復調部１１０、誤り検出部１２０、ＢＬＥＲ推定部１３０、ＳＩＲ測定部１４０、ＳＩＲ比較部１５０、目標ＳＩＲ設定部１６０、初期目標ＳＩＲ記憶部１７０、ＴＰＣコマンド生成部１８０、送信データ生成部１９０、およびサービス検出部２００ａを有しており、サービス検出部２００ａは、目標品質検出部２０４を含んでいる。
【００６６】
サービス検出部２００ａは、送信電力制御開始時などに、本実施の形態の無線通信装置がやりとりするサービスを検出し、初期目標ＳＩＲ記憶部１７０へ通知する。具体的には、目標品質検出部２０４は、無線ネットワーク制御局装置から通知される目標品質を検出し、この目標品質に対応するサービスを初期目標ＳＩＲ記憶部１７０へ通知する。ここで、目標品質は、やりとりされるサービスごとに異なっているため、目標品質検出部２０４は、目標品質を検出することにより容易にサービスを検出することができる。
【００６７】
次いで、上記のように構成された無線通信装置の動作について説明する。
【００６８】
まず、無線ネットワーク制御局装置から通知される目標品質が、目標品質検出部２０４によって検出され、対応するサービスが初期目標ＳＩＲ記憶部１７０へ通知され、当該サービスに対応する初期目標ＳＩＲが目標ＳＩＲ設定部１６０へ出力されて目標ＳＩＲとして設定される。
【００６９】
一方、アンテナを介して受信された受信データは、ＲＦ部１００によって所定の無線処理が行われ、ＳＩＲ測定部１４０によって受信ＳＩＲが測定される。そして、ＳＩＲ比較部１５０によって、受信ＳＩＲと目標ＳＩＲ（初回は初期目標ＳＩＲ）とが比較される。
【００７０】
この比較の結果、受信ＳＩＲが目標ＳＩＲより大きければ、ＴＰＣコマンド生成部１８０によって、送信電力を下げる旨のＴＰＣコマンドが生成され、受信ＳＩＲが目標ＳＩＲより小さければ、ＴＰＣコマンド生成部１８０によって、送信電力を上げる旨のＴＰＣコマンドが生成される。そして、生成されたＴＰＣコマンドは、送信データ生成部１９０によって生成される送信データとともに、ＲＦ部１００によって所定の無線処理が行われた上でアンテナを介して送信される。
【００７１】
以下、実施の形態１と同様に、送信側から送信電力制御されて送信されたデータが受信されると、ＢＬＥＲが推定され、ＢＬＥＲが所望のＢＬＥＲとなるように目標ＳＩＲが更新され、更新された目標ＳＩＲに基づいてＴＰＣコマンドが生成される処理が繰り返されることにより、目標ＳＩＲが収束し、所望のＢＬＥＲを得るようになる。
【００７２】
このように、本実施の形態によれば、上位装置から通知される、サービスに対応する信号品質の目標値を検出し、検出された目標値に対応するサービスに応じて送信電力制御のための目標ＳＩＲの初期値を設定するため、無線通信装置内において、上位レイヤからサービスに関する情報を下位レイヤへ伝達する際の困難性を排除することができ、簡易な装置構成でアウタループ送信電力制御における目標ＳＩＲの収束時間を短縮することができ、所望の信号品質に対応する目標ＳＩＲ他のユーザに対して与える干渉の影響を抑制し、呼確立時の通信の切断を防止することができる。
【００７３】
（実施の形態３）
本発明の実施の形態３に係る特徴は、無線ネットワーク制御局装置などの上位装置から通知される、伝送されるサービスの信号品質の目標値に加えて、符号化方法、符号化率、およびスロットフォーマットによってサービスを検出する点である。
【００７４】
図４は、本実施の形態に係る無線通信装置の要部構成を示すブロック図である。同図に示す無線通信装置において、図１および図３に示す無線通信装置と同じ部分には同じ符号を付し、その説明を省略する。また、同図に示す無線通信装置は、実施の形態１と同様に、アウタループ送信電力制御を行う無線通信システムにおいて用いられるため、所望の信号品質を達成するための目標受信品質を常に更新する。
【００７５】
なお、本実施の形態においては、上位装置である無線ネットワーク制御局装置から、伝送されるサービスに応じた目標品質、符号化方法、符号化率、およびスロットフォーマットが通知されるものとする。
【００７６】
図４に示す無線通信装置は、ＲＦ部１００、復調部１１０、誤り検出部１２０、ＢＬＥＲ推定部１３０、ＳＩＲ測定部１４０、ＳＩＲ比較部１５０、目標ＳＩＲ設定部１６０、初期目標ＳＩＲ記憶部１７０、ＴＰＣコマンド生成部１８０、送信データ生成部１９０、およびサービス検出部２００ｂを有しており、サービス検出部２００ｂは、目標品質検出部２０４、符号化スロットフォーマット検出部２０６、およびサービス判定部２０８を含んでいる。
【００７７】
サービス検出部２００ｂは、送信電力制御開始時などに、本実施の形態の無線通信装置がやりとりするサービスを検出し、初期目標ＳＩＲ記憶部１７０へ通知する。具体的には、符号化スロットフォーマット検出部２０６は、無線ネットワーク制御局装置から通知される符号化方法、符号化率、およびスロットフォーマットを検出し、サービス判定部２０８は、目標品質検出部２０４によって検出された目標品質と上述の符号化方法、符号化率、およびスロットフォーマットとに対応するサービスを初期目標ＳＩＲ記憶部１７０へ通知する。ここで、符号化方法、符号化率、およびスロットフォーマットは、通常の受信動作において必要な情報であり、データの伝送に際しては常に上位装置から通知される情報である。これらの情報は、サービスごとに異なっているため、目標品質と併せてサービスの検出に用いることにより、確実にサービス検出を行うことができる。
【００７８】
次いで、上記のように構成された無線通信装置の動作について説明する。
【００７９】
まず、無線ネットワーク制御局装置から通知される目標品質が、目標品質検出部２０４によって検出される。また、同時に、無線ネットワーク制御局装置から通知されるデータの符号化方法、符号化率、およびスロットフォーマットが、符号化スロットフォーマット検出部２０６によって検出される。そして、これらの情報から、サービス判定部２０８によって伝送されるサービスが判定され、このサービスが初期目標ＳＩＲ記憶部１７０へ通知され、当該サービスに対応する初期目標ＳＩＲが目標ＳＩＲ設定部１６０へ出力されて目標ＳＩＲとして設定される。
【００８０】
一方、アンテナを介して受信された受信データは、ＲＦ部１００によって所定の無線処理が行われ、ＳＩＲ測定部１４０によって受信ＳＩＲが測定される。そして、ＳＩＲ比較部１５０によって、受信ＳＩＲと目標ＳＩＲ（初回は初期目標ＳＩＲ）とが比較される。
【００８１】
この比較の結果、受信ＳＩＲが目標ＳＩＲより大きければ、ＴＰＣコマンド生成部１８０によって、送信電力を下げる旨のＴＰＣコマンドが生成され、受信ＳＩＲが目標ＳＩＲより小さければ、ＴＰＣコマンド生成部１８０によって、送信電力を上げる旨のＴＰＣコマンドが生成される。そして、生成されたＴＰＣコマンドは、送信データ生成部１９０によって生成される送信データとともに、ＲＦ部１００によって所定の無線処理が行われた上でアンテナを介して送信される。
【００８２】
以下、実施の形態１と同様に、送信側から送信電力制御されて送信されたデータが受信されると、ＢＬＥＲが推定され、ＢＬＥＲが所望のＢＬＥＲとなるように目標ＳＩＲが更新され、更新された目標ＳＩＲに基づいてＴＰＣコマンドが生成される処理が繰り返されることにより、目標ＳＩＲが収束し、所望のＢＬＥＲを得るようになる。
【００８３】
このように、本実施の形態によれば、上位装置から通知される、サービスに対応する信号品質の目標品質を検出するとともに、サービスに対応するデータの符号化方法、符号化率、およびスロットフォーマットを検出し、これらの情報に基づいて伝送されるサービスを判定し、このサービスに応じて送信電力制御のための目標ＳＩＲの初期値を設定するため、例えば受信特性、目標品質、およびデータの発生確率（連続データであるか、またはバーストデータであるかによって異なる）などが異なるサービスについて、サービスの種類を確実に検出することができる。
【００８４】
【発明の効果】
以上説明したように、本発明によれば、他のユーザに対して与える干渉の影響を抑制し、呼確立時の通信の切断を防止することができる。
【図面の簡単な説明】
【図１】本発明の実施の形態１に係る無線通信装置の要部構成を示すブロック図
【図２】実施の形態１に係る無線通信装置における目標ＳＩＲの収束特性の一例を示す図
【図３】本発明の実施の形態２に係る無線通信装置の要部構成を示すブロック図
【図４】本発明の実施の形態３に係る無線通信装置の要部構成を示すブロック図
【図５】サービスが異なる場合の目標受信品質に対する信号品質の特性を示す図
【図６】従来の無線通信装置における目標ＳＩＲの収束特性の一例を示す図
【符号の説明】
１６０　目標ＳＩＲ設定部
１７０　初期目標ＳＩＲ記憶部
２００、２００ａ、２００ｂ　サービス検出部
２０２　サービス情報取得部
２０４　目標品質検出部
２０６　符号化スロットフォーマット検出部
２０８　サービス判定部
【図１】
2004088635.tif 000003
【図２】
2004088635.tif 000004
【図３】
2004088635.tif 000005
【図４】
2004088635.tif 000006
【図５】
2004088635.tif 000007
【図６】
2004088635.tif 000008